(57)【要約】【課題】  山岳地帯のように、携帯電話等の既存の通信インフラが使えない場所でも使用可能な遭難者捜索システムを提供する。【解決手段】  遭難者が持っている発信機１から、全方位一定の強さで特定の電波信号を発信し、捜索隊が持っている受信機２により、その電波信号を受信して、その受信方向と受信レベルとに基づいて、遭難者の現在位置を判定して表示する。発信機１は、所定時間毎に、自動的に前記電波信号を発信するようにして、遭難者が意識を失っても発信できるようにする。その際、アラームを発するようにし、必要がないときは、アラーム及び電波信号の発信を手動で停止できるようにする。また、手動により、必要に応じて随時電波信号を発信させることも可能にする。【選択図】        図１
2009281957.tif 000002
【特許請求の範囲】
【請求項１】
全方位一定の強さで特定の電波信号を発信する発信機と、
前記電波信号を受信して、その受信方向と受信レベルとに基づいて、前記発信機の現在位置を判定して表示する受信機
とを備えたことを特徴とする遭難者捜索システム。
【請求項２】
前記発信機は、所定時間毎に、自動的に前記電波信号を発信することを特徴とする請求項１に記載の遭難者捜索システム。
【請求項３】
前記発信機は、前記電波信号を発信する際に、アラームを発する手段と、該アラーム及び電波信号の発信を手動で停止させる手段とを備えたことを特徴とする請求項２に記載の遭難者捜索システム。
【請求項４】
前記発信機は、前記電波信号を、随時、手動により発信させる手段を備えたことを特徴とする請求項１，２又は３に記載の遭難者捜索システム。
【発明の詳細な説明】
【技術分野】
【０００１】
本発明は、山や海等で遭難事故が発生した際に、遭難者を捜索するための遭難者捜索システムに関するものである。
【背景技術】
【０００２】
従来、山や海等で遭難者を捜索するのに、ＧＰＳ機能を備えた携帯電話を利用する方法が知られている。すなわち、山や海に出かける際に、ＧＰＳ機能を備えた携帯電話を携帯し、そのＧＰＳ機能を利用して、所定の周期毎、又は、所定のスイッチ操作により現在位置情報を取得し、その位置情報を、携帯電話網を介して、所定の受信装置に送信する。
【０００３】
そのようにすれば、遭難事故が発生したとき、遭難者の現在位置が簡単に分かるので、救助機関等による迅速な救出活動が可能になる。
【発明の開示】
【発明が解決しようとする課題】
【０００４】
しかしながら、ＧＰＳ機能を備えた携帯電話を利用する方法には、携帯電話の通信圏外では位置情報を送信できず、使用できないという問題点があった。特に、山岳地帯では通信圏外となる地域が多く、登山の際には使えない場合が多いという問題点があった。
【０００５】
本発明は、そのような問題点に鑑み、山岳地帯のように、携帯電話のような既存の通信インフラが使えない場所でも使用可能な遭難者捜索システムを提供することを目的とするものである。
【課題を解決するための手段】
【０００６】
前記課題を解決するため、本願の請求項１にかかる発明は、全方位一定の強さで特定の電波信号を発信する発信機と、前記電波信号を受信して、その受信方向と受信レベルとに基づいて、前記発信機の現在位置を判定して表示する受信機とを備えたことを特徴とする。
【０００７】
また、本願の請求項２にかかる発明は、請求項１にかかる発明において、前記発信機は、所定時間毎に、自動的に前記電波信号を発信することを特徴とする。
【０００８】
また、本願の請求項３にかかる発明は、請求項２にかかる発明において、前記発信機は、前記電波信号を発信する際に、アラームを発する手段と、該アラーム及び電波信号の発信を手動で停止させる手段とを備えたことを特徴とする。
【０００９】
また、本願の請求項４にかかる発明は、請求項１，２又は３にかかる発明において、前記発信機は、前記電波信号を、随時、手動により発信させる手段を備えたことを特徴とする。
【発明の効果】
【００１０】
本発明の遭難者捜索システムは、次のような効果を奏する。
すなわち、請求項１にかかる発明においては、発信機から、全方位一定の強さで特定の電波信号を発信し、受信機により、その電波信号を受信して、その受信方向と受信レベルとに基づいて、前記発信機の現在位置を判定して表示するようにしたので、山岳地帯のように、既存の通信インフラが使えない場所でも使用可能となる。
【００１１】
また、請求項２にかかる発明においては、請求項１にかかる遭難者捜索システムにおいて、前記発信機は、所定時間毎に、自動的に前記電波信号を発信するようにしたので、遭難時に意識がなくなったりしても、電波信号を確実に発信することができる。
【００１２】
また、請求項３にかかる発明においては、請求項２にかかる遭難者捜索システムにおいて、前記発信機は、前記電波信号を発信する際に、アラームを発する手段と、該アラーム及び電波信号の発信を手動で停止させる手段を設けたので、電波を発信していることを知らせるとともに、不必要にアラームや電波発信を防止するのを防止できる。
【００１３】
また、請求項４にかかる発明においては、請求項１，２又は３にかかる遭難者捜索システムにおいて、前記発信機は、前記電波信号を、随時、手動により発信させるようにしたので、必要な時は、いつでも電波の発信ができる。
【発明を実施するための最良の形態】
【００１４】
以下、本発明の実施例を図面に基づいて詳細に説明する。
【実施例１】
【００１５】
図１は、本発明の遭難者捜索システムの概略構成を示す図である。図１において、１は、登山者等に持たせておく発信機、２は、登山者等が遭難したとき、発信機１の電波信号を受信して、登山者等の現在位置を探知するための受信機である。
【００１６】
図２は、発信機の一例を示す図である。図２において、１１は発信ボタン、１２は停止ボタン、１３はスピーカである。この発信機１は、登山者等のシャツの胸ポケットに入る程度の大きさ、あるいは、腕時計式に手首に固定できる程度の大きさになっており、特定の周波数で特定の信号パターンの電波信号を、電波法令で許される範囲の出力強度で発信する。
【００１７】
発信機１は、転落事故等による衝撃に対して充分耐えうる堅牢な構造とし、雨に濡れても機能を維持するように防水性も付与する。また、乾電池を電源として動作し、電池の残量が少なくなった場合は、ＬＥＤランプ等よりなるバッテリモニタ１４により、残量低下を知らせるようにしている。
【００１８】
発信ボタン１１は、電波信号を発信させるためのもので、この発信ボタン１１を押すと、予め決められた特定の周波数で特定の信号パターンの電波信号を、全方位に対して一定の強度で発信する。そして、停止ボタン１２を押すと発信が停止する。
【００１９】
さらに、遭難時にけがのために操作不能になったり、意識がなくなったりしたときのために、所定の時間間隔毎に、電波信号を一定時間自動発信する機能も備えている。その際、スピーカ１３からアラーム音を鳴らして、電波を発信していることを知らせる。ただ、平常時に電波信号を発信したり、アラーム音を鳴らしたりすると、電池を無駄に消費してしまうし、ほかに遭難者がいて同様なシステムを使って捜索している場合には、捜索を妨害してしまう。そこで、アラーム音が鳴ったときに停止ボタン１２を押すことにより、電波信号とアラーム音を停止させることができるようにしている。
【００２０】
図３は、受信機の一例を示す図である。図３において、２１は電源スイッチ、２２はレベルゲージ表示ボタン、２３はアンテナ、２４は表示器、２５は周波数選択ボタンである。この受信機２は、発信機１が発信する電波信号を受信して、発信機１からの受信方向とおおよその距離を探知するためのものであって、電池を電源として動作し、携帯可能なサイズ・重量を有し、遭難者捜索機関の遭難者捜索隊が手に持って操作できるようにしている。  また、図示はしないが、当該受信機２の現在位置を検知するためのＧＰＳ装置と、当該受信機２が向いている方向を検知するための方向検知器とを備えている。
【００２１】
遭難者を捜索する際には、電源スイッチ２１をオンにすると、表示器２４に、現場周辺の地図を表示し、その中に、ＧＰＳ装置で検知した現在位置Ｐも表示する。さらに、必要に応じてレベルゲージ表示ボタン２２をオンにすると、表示器２４に電波の受信レベルをレベルゲージＧとして表示する。
【００２２】
アンテナ２３は、高い指向性を有しており、それにより発信機１から送られる電波信号を受信する。そして、アンテナ２３の方向を様々な方向に向けて、発信機１からの電波を最も強く受信できる方向を探り、遭難者が居る方向を探知する。また、その時の受信レベルに基づいて、その地点から遭難者が居る場所までのおおよその距離を計算し、その結果に基づいて、表示器２４の地図中に遭難者の位置Ｑを表示する。
【００２３】
このような遭難者捜索システムを活用する上で、発信機１と受信機２の両方の普及が必要になる。そこで、遭難者捜索システムの運営方法としては、例えば、所定の会費を徴収して会員を募り、会員になった人に発信機１を貸与し、受信機２は、各地の捜索機関等に無料で貸与する方法が考えられる。そのようにすれば、運営費の確保と同時に発信機１と受信機２の普及を図ることができる。
【００２４】
なお、上記実施例では、発信機１の電源として乾電池を用いたが、乾電池の代わりに太陽電池を用いてもよい。また、上記実施例では、受信機２に地図上に遭難者の位置を表示するようにしたが、方向と距離だけを文字表示するようにしてもよい。そのようにすれば、表示が簡単になってコストを抑えることができる。
【図面の簡単な説明】
【００２５】
【図１】本発明の遭難者捜索システムの概略構成を示す図である。
【図２】発信機の一例を示す図である。
【図３】受信機の一例を示す図である。
【符号の説明】
【００２６】
１…発信機
１１…発信ボタン
１２…停止ボタン
１３…スピーカ
１４…バッテリモニタ
２…受信機
２１…電源スイッチ
２２…レベルゲージ表示ボタン
２３…アンテナ
２４…表示器
【図１】
2009281957.tif 000003
【図２】
2009281957.tif 000004
【図３】
2009281957.tif 000005